(57)【要約】【課題】発生事象毎に端末装置から警報を吹鳴するか否かを設定できるようにすること。【解決手段】利用者は吹鳴開始設定手段８にて通信装置２へ上がってきた通報内容毎に吹鳴開始設定手段８での「家じゅうコール機能」の選択が可能なように設計されている。通報解析手段７は受信した通報内容を解析し、その通報が、例えば開閉センサ３や人感センサ４からの不審者の侵入を検知した通報なのか、コールリモコン５からの緊急呼び出し通報なのかを解析した結果、例えば、通報内容が開閉センサ３や人感センサ４からの不審者の侵入を検知した通報であった場合は、吹鳴開始設定手段８にて開閉センサ３や人感センサ４からの不審者の侵入を検知した通報の際に「家じゅうコール機能」を使用するか否かを確認し、吹鳴開始送信手段９を起動して、通信装置２と通信を行う端末装置１の全てまたは一部に対して警報音を吹鳴する旨の信号を送信する。【選択図】図２
2006119876.tif 000002
【特許請求の範囲】
【請求項１】
複数の端末装置との間で通信する通信装置であって、前記通信装置は、前記端末装置からの通報を受信する通報受信手段と、前記通報受信手段が受信した通報を解析する通報解析手段と、前記通信装置との間で通信を行う他の端末装置に対して吹鳴を開始する旨の信号を送信するか否かを、前記端末装置からの通報内容毎に設定する吹鳴開始設定手段と、前記端末装置からの通報が、前記吹鳴開始設定手段で吹鳴を開始する旨の信号を送信する設定の場合に、前記通信装置との間で通信を行う端末装置の全てもしくは一部に対して吹鳴を開始する旨の信号を送信する吹鳴開始送信手段を有する通信装置。
【請求項２】
前記吹鳴開始設定手段は、通報を送信した端末装置の種別毎に吹鳴を開始する旨の信号を送信するか否かの設定を可能にした請求項１記載の通信装置。
【請求項３】
複数の端末装置との間で通信する通信装置であって、前記通信装置は、外部から信号を入力させる外部信号入力手段と、前記外部信号入力手段より入力された信号を解析する入力解析手段と、前記通信装置との間で通信を行う他の端末装置に対して吹鳴を開始する旨の信号を送信するか否かを、前記外部信号入力手段から入力された信号毎に設定する吹鳴開始設定手段と、前記外部信号入力手段からの信号が、前記吹鳴開始設定手段で吹鳴を開始する旨の信号を送信する設定の場合に、前記通信装置との間で通信を行う端末装置の全てもしくは一部に対して吹鳴を開始する旨の信号を送信する吹鳴開始送信手段を有する通信装置。
【請求項４】
前記吹鳴開始設定手段は、前記外部信号入力手段より入力された信号の種別毎に吹鳴を開始する旨の信号を送信するか否かの設定を可能にした請求項３記載の通信装置。
【請求項５】
前記吹鳴開始設定手段は、利用者が吹鳴を開始する旨の信号を送信するか否かの設定を行う為の画面を表示する画面表示手段を有する請求項１もしくは請求項３記載の通信装置。
【請求項６】
前記吹鳴開始設定手段は、前記吹鳴開始送信手段が送信する吹鳴を開始する旨の信号を、前記端末装置、もしくは前記外部信号入力手段からの通報の種別毎に設定できる構成とした請求項１もしくは請求項３記載の通信装置。
【請求項７】
前記通信装置は、前記吹鳴開始送信手段が前記端末装置の全てもしくは一部に吹鳴を開始する旨の信号を送信した後、前記端末装置からの通報の事象が解除された場合、前記端末装置の全てもしくは一部に対し警報を停止する旨の信号を送信する警報停止送信手段を有する請求項１記載の通信装置。
【請求項８】
前記通信装置は、前記吹鳴開始送信手段が前記端末装置の全てもしくは一部に吹鳴を開始する旨の信号を送信した後、前記外部信号入力手段からの通報の事象が解除された場合、前記端末装置の全てもしくは一部に対し警報を停止する旨の信号を送信する警報停止送信手段を有する請求項３記載の通信装置。
【請求項９】
請求項１〜８のいずれか１項記載の通信装置の少なくとも一部をコンピュータに実行させるためのプログラム。
【発明の詳細な説明】
【技術分野】
【０００１】
本発明は、家庭内の「セキュリティセンサ群」、「家電機器群」、「流量計測装置群」、「健康機器群」とこれらをコントロールする通信装置、及びプログラムに関するものである。
【背景技術】
【０００２】
従来、この種のシステムについては、以下のものが一般的であった（特許文献１参照）。このセキュリティシステムは、例えば店舗等の警戒区域の出入口付近や要所に設置された赤外線センサ等の検知器、及び監視カメラを有している。赤外線センサは、出入りする人物等の動きによって生ずる赤外線受光量の変化を検知し、検知信号を出力するものである。赤外線センサの検知信号は、無線によって出力されるようになっている。
【０００３】
監視カメラは、ＣＣＤ（電荷結合素子）等で構成され、撮影した映像情報を電気信号で出力するものである。監視カメラは、出入口付近に配置され、赤外線センサと連動して出入りする人物を撮影するようになっている。また、監視カメラは広角レンズ等を備え、赤外線センサ等と連動して、警戒区域の状況を撮影できるような位置に配置されている。
【０００４】
また店舗内の店員は、腕時計型送信機を携帯している。腕時計型送信機は、腕時計と同じようにベルトで腕に装着する小型の送信機で、スイッチをさりげなく押すことにより、強盗犯に気付かれることなく、異常事態発生の緊急信号を無線で出力することができるようになったものである。
【０００５】
また、店舗内に配置されたショーケース等の備品には、衝撃センサが取り付けられている。衝撃センサは、泥棒によってショーケースが破壊されたときに、その衝撃を検出して検出信号を無線で出力するものである。
【０００６】
一方、これらの赤外線センサ腕時計型送信機及び衝撃センサから出力される信号を受信するために、信号受信機が設けられている。信号受信機は、受信した無線の信号がどのセンサから出力されたものであるかを判別し、各センサに対応した接点信号を出力するものである。
【０００７】
更に、店舗内には、盗難阻止用の霧噴射装置と、威嚇放送用のスピーカ及びマイクロホンが配置されている。霧噴射装置は、制御信号によって起動され、瞬時に白い霧を発生させて周辺の視界を遮り、盗難を阻止するものである。また、スピーカは、警告音を出力したり、強盗犯や窃盗犯に電話回線を介して外部から威嚇用の音声を出力するものである。マイクロホンは、店舗内の物音及び強盗犯や窃盗犯の声を電話回線を介して聴取するためのものである。また、必要に応じて、これらを録音することもできる。
【０００８】
以上のような監視カメラ、信号受信機及び霧噴射装置は、監視制御装置に接続され、スピーカ及びマイクロホンは、音声増幅器を介してこの監視制御装置に接続されている。
【０００９】
監視制御装置には、監視モード等の設定を行うための監視端末が接続されると共に、停電対策手段（例えば、無停電電源等）から電力が供給されるようになっている。無停電電源は、バッテリによる非常用電源を備え、商用電源が停電したときに、その非常用電源から電力を供給すると共に、非常用電源に切り替えられたことを示す検出信号を出力するものである。非常用電源の容量は限度があり、長時間の停電に対応することができないので、監視制御装置では、停電の検出信号に基づいて必要最小限の処理を行った後、システムを正常に終了させる処理を行うようになっている。
【００１０】
監視制御装置は、更にターミナルアダプタ（以下、「ＴＡ」という）と電話網制御装置（以下、「ＮＣＵ」という）を介して、通信網（例えば、電話網）に接続されている。
【００１１】
ＴＡは、通信装置をＩＳＤＮ回線を介して電話網に接続するための付加装置であり、パーソナル・コンピュータ等のディジタル機器を接続するためのディジタル・ポート（ＤＰ）と、電話機等のアナログ機器を接続するためのアナログ・ポート（ＡＰ）を有している。
【００１２】
ＴＡのディジタル・ポートは監視制御装置に接続され、アナログ・ポートはＮＣＵを介して、監視制御装置に接続されている。ＮＣＵは、電話網に対するダイヤル信号の送信や着信検出等の接続制御を行うための制御インタフェース（ＣＩ）と、接続後に音声信号を伝送するための音声インタフェース（ＡＩ）を有している。
【００１３】
電話網には、このセキュリティシステムの端末装置として登録された加入電話、携帯電話及び画像端末装置（例えば、携帯端末）が接続されており、必要の都度、これらの加入電話等と監視制御装置と間が、電話網を介して回線接続されるようになっている。
【特許文献１】特開２００３−３２３７７号公報
【発明の開示】
【発明が解決しようとする課題】
【００１４】
しかしながら、上記背景技術の構成では、不審者を検知した場合の検知器からの警報音吹鳴については行われない。すなわち、不審者を検知したような緊急事態では、事象を外部に通報すると共に、システム全体で警報音等を吹鳴して、発生した事態を周辺の人全てに伝えたり、また、不審者を威嚇したりすることが有効であるが、背景技術ではその機能についての記載がない。よって、事態の通報はできるが、危険を周囲に知らせたり不審者を威嚇したりする機能が不十分であるという課題があった。
【課題を解決するための手段】
【００１５】
本発明は上記課題を解決するため、複数の端末装置との間で通信する通信装置であって、前記通信装置は、前記端末装置からの通報を受信する通報受信手段と、前記通報受信手段が受信した通報を解析する通報解析手段と、前記通信装置との間で通信を行う他の端末装置に対して吹鳴を開始する旨の信号を送信するか否かを、前記端末装置からの通報内容毎に設定する吹鳴開始設定手段と、前記端末装置からの通報が、前記吹鳴開始設定手段で吹鳴を開始する旨の信号を送信する設定の場合に、前記通信装置との間で通信を行う端末装置の全てもしくは一部に対して吹鳴を開始する旨の信号を送信する吹鳴開始送信手段を有することで、発生事象の種別毎に端末装置から発する警報音有無を設定できるようになり、当該課題を解決し、システムの利便性の向上、及び普及促進に加速を図ることができる。
【発明の効果】
【００１６】
これに対し本発明は、異常が発生した場合に、システムに属する機器から警報音を発生させることが可能となるばかりでなく、発生した事象に応じて、警報音吹鳴を行う／行わないの設定を利用者が自由自在に設定できる為、発生した事態を周辺の人全てに伝えたり、また、不審者を威嚇したりできるばかりでなく、不必要な場合は警報音を鳴らさないような設定にもできる。これにより、本発明を利用したシステムにおいて、利便性が向上すると共に、システムの信頼度も高まり、当該システムの普及・促進に大いなる効果を発揮することができるようになる。
【発明を実施するための最良の形態】
【００１７】
第１の発明は、複数の端末装置との間で通信する通信装置であって、前記通信装置は、前記端末装置からの通報を受信する通報受信手段と、前記通報受信手段が受信した通報を解析する通報解析手段と、前記通信装置との間で通信を行う他の端末装置に対して吹鳴を開始する旨の信号を送信するか否かを、前記端末装置からの通報内容毎に設定する吹鳴開始設定手段と、前記端末装置からの通報が、前記吹鳴開始設定手段で吹鳴を開始する旨の信号を送信する設定の場合に、前記通信装置との間で通信を行う端末装置の全てもしくは一部に対して吹鳴を開始する旨の信号を送信する吹鳴開始送信手段を有するものである。
【００１８】
そして、発生事象の内容毎に端末装置から発する警報音有無を設定できるようになり、当該課題を解決し、システムの利便性の向上、及び普及促進に加速を図ることができる。
【００１９】
第２の発明は、前記吹鳴開始設定手段は、通報を送信した端末装置の種別毎に吹鳴を開始する旨の信号を送信するか否かの設定を可能にしたものである。
【００２０】
そして、事象が発生した端末装置の種別毎に端末装置から発する警報音有無を設定できるようになり、当該課題を解決し、システムの利便性の向上、及び普及促進に加速を図ることができる。
【００２１】
第３の発明は、複数の端末装置との間で通信する通信装置であって、前記通信装置は、外部から信号を入力させる外部信号入力手段と、前記外部信号入力手段より入力された信号を解析する入力解析手段と、前記通信装置との間で通信を行う他の端末装置に対して吹鳴を開始する旨の信号を送信するか否かを、前記外部信号入力手段から入力された信号毎に設定する吹鳴開始設定手段と、前記外部信号入力手段からの信号が、前記吹鳴開始設定手段で吹鳴を開始する旨の信号を送信する設定の場合に、前記通信装置との間で通信を行う端末装置の全てもしくは一部に対して吹鳴を開始する旨の信号を送信する吹鳴開始送信手段を有するものである。
【００２２】
そして、通信装置への特定入力による緊急事態の発生時に、発生事象の内容毎に端末装置から発する警報音有無を設定できるようになり、当該課題を解決し、システムの利便性の向上、及び普及促進に加速を図ることができる。
【００２３】
第４の発明は、前記吹鳴開始設定手段は、前記外部信号入力手段より入力された信号の種別毎に吹鳴を開始する旨の信号を送信するか否かの設定を可能にしたものである。
【００２４】
そして、通信装置への特定入力による緊急事態の発生時に、発生事象の種別毎に端末装置から発する警報音有無を設定できるようになり、当該課題を解決し、システムの利便性の向上、及び普及促進に加速を図ることができる。
【００２５】
第５の発明は、前記吹鳴開始設定手段は、利用者が吹鳴を開始する旨の信号を送信するか否かの設定を行う為の画面を表示する画面表示手段を有するものである。
【００２６】
そして、画面といったユーザーインターフェイスを設けることで、端末装置からの警報音吹鳴の有無を利用者が容易に分かりやすく設定できるようになり、システムの利便性の向上、及び普及促進に加速を図ることができる。
【００２７】
第６の発明は、前記吹鳴開始設定手段は、前記吹鳴開始送信手段が送信する吹鳴を開始する旨の信号を、前記端末装置もしくは前記外部信号入力手段からの通報の種別毎に設定できる構成としたものである。
【００２８】
そして、警報音吹鳴の旨の指示を端末装置もしくは前記外部信号入力手段からの通報の種別毎に設定できる為、警報音吹鳴が必要な端末装置に対してのみ警報音吹鳴指示ができる為、必要最小限の通信により的確な指示ができるようになり、システムの利便性の向上、及び普及促進に加速を図ることができる。
【００２９】
第７の発明は、前記通信装置は、前記吹鳴開始送信手段が前記端末装置の全てもしくは一部に吹鳴を開始する旨の信号を送信した後、前記端末装置からの通報の事象が解除された場合、前記端末装置の全てもしくは一部に対し警報を停止する旨の信号を送信する警報停止送信手段を有するものである。
【００３０】
そして、端末装置から発している警報音を、端末装置からの発生事象毎に停止させることができ、必要な時の警報音を自由自在に制御できるようになり、システムの利便性の向上、及び普及促進に加速を図ることができる。
【００３１】
第８の発明は、前記通信装置は、前記吹鳴開始送信手段が前記端末装置の全てもしくは一部に吹鳴を開始する旨の信号を送信した後、前記外部信号入力手段からの通報の事象が解除された場合、前記端末装置の全てもしくは一部に対し警報を停止する旨の信号を送信する警報停止送信手段を有するものである。
【００３２】
そして、端末装置から発している警報音を、通信装置への特定入力による緊急事態の発生時に、発生事象の内容毎に停止させることができ、必要な時の警報音を自由自在に制御できるようになり、システムの利便性の向上、及び普及促進に加速を図ることができる。
【００３３】
第９の発明は、上記の通信装置の少なくとも一部をコンピュータに実行させるためのプログラムである。そして、プログラムであるので、電気・情報機器、コンピュータ、サーバー等のハードリソースを協働させて本発明の通信装置の少なくとも一部を容易に実現することができる。また記録媒体に記録したり通信回線を用いてプログラムを配信したりすることでプログラムの配布・更新やそのインストール作業が簡単にできる。
【００３４】
以下、本発明の実施の形態について図面を用いて説明する。なお、この実施の形態によって本発明が限定されるものではない。
【００３５】
（実施の形態１）
図１は本発明の実施の形態のシステム全体のブロック図である。図１において、１は端末装置、２は通信装置、３は開閉センサ、４は人感センサ、５はコールリモコンである。開閉センサ３、人感センサ４、コールリモコン５は端末装置１の具体的名称である。
【００３６】
図１において、開閉センサ３、人感センサ４は「セキュリティセンサ群」である。この例では、１台の通信装置２に対して、「開閉センサ」が１台（開閉センサ３）、「人感センサ」が１台（人感センサ４）の場合を記述している。
【００３７】
ここでいう「セキュリティセンサ群」は、例えば家庭内の窓や扉に設置し、外部からの侵入者があった場合に反応して警報音を鳴らしたりその旨を通報する開閉センサ３や、人の存在有無を検知しその旨を警報音や通報を用いて威嚇や報知を行い外部からの侵入者を防ぐ人感センサ４を指す。これらは、各家庭周辺に設置されているものとする。また、利用者の身体に異変が発生した場合等、利用者はコールリモコン５を押下する。
【００３８】
通信装置２は、例えば「セキュリティセンサ群」からの異常通報が発生した場合に、その旨を画面や音声を用いて利用者へ知らせたり、外部の携帯電話、パソコン、医療機関、サービスセンター等へ通報する役目を果たす。
【００３９】
なお、図１においては、端末装置１として「セキュリティセンサ群」のみ明示しているが、通信装置２と通信を行うものとして、他に、「家電機器群」、「計測装置群」、「健康機器群」「火災・ガス漏れセンサ群」も考えられる。ここで言う「家電機器群」とは、「洗濯機」「電子レンジ」「エアコン」「冷蔵庫」「炊飯器」「給湯器」等の家庭で利用される家電機器を指す。通信装置２は、これらの「家電機器群」の現在の状態を把握したり、制御したりすることが可能である。例えば、外出先の携帯電話より通信装置２を介して「家電機器群」のコントロールをしたり、「家電機器群」の異常情報を外部の携帯電話、パソコン、サービスセンター等へ通報する役目を果たす。
【００４０】
また、「計測装置群」とは、電気、ガス、水道等の、いわゆる各家庭のライフラインと呼ばれるエネルギー計測装置を指す。通信装置２は、これらの「計測装置群」と通信を行う機能を有する場合がある。すなわち、例えば各家庭のガス流量はガスメーターという「流量計測装置」によって計測される。通信装置２はガスメーターの検針値データを取得し、そのデータをガス業者へ送られる。ガス業者は当該ガス使用量に応じて当該家庭にガス料金を請求する。
【００４１】
また、ガスメーターはガスの流量を計測すると共に、各種保安機能も有している。すなわち、ガスメーターはガスの流れを遮断する遮断機能を有しており、ガス漏れや地震等が発生した場合には自動的にガスの流れを遮断すると共に、その旨を通報する。通報先は、通信装置２である。通信装置２はガスメーターが出力した遮断等のアラーム通報を、ガスサービス業者へ通報する。ガスサービス業者は当該家庭へ電話連絡で異常の旨を連絡したり、場合によっては当該家庭へ赴いて対応する。この時、通信装置２はその旨を画面や音声等のユーザーインターフェイスを用いてユーザーに通知することも可能である。
【００４２】
さらに、ガスメーターは、例えばＬＰガス用のガスメーターであった場合に、ＬＰガスボンベの残量を検出機能も有している。すなわち、ＬＰガスボンベの残量が予め定められたレベルを下回った場合や、残量がなくなってしまった場合に、ガスメーターはその旨を検知し通報する。通報の方法は前述の遮断等の場合と同様である。通報を受けたガスサービス業者は当該家庭にガスボンベを配送し交換等の作業を行う。
【００４３】
また、「健康機器群」とは、血圧計、体重計、体脂肪率計、歩数計等の健康機器を指す。これらの機器は、それぞれ単独の機器として存在する場合もあれば、例えば、温水洗浄便座等に組み込まれている場合もある。なお、便器を利用して排泄物の状態を測定して健康データを取得するような機器も「健康機器群」に含まれる。いずれにしろ、これらの「健康機器群」が取得したデータは通信装置２を経由して、例えば外部の携帯電話、パソコン、医療機関、サービスセンター等へ通報することが可能である。さらには、例えば医療機関のような外部からこれらのデータを遠隔で取得することも可能である。
【００４４】
また、「火災・ガス漏れセンサ群」とは、火災やガス漏れを検知するセンサ機器を指す。これらの機器は、当該事象を検知するとその旨を通信装置２に対して送信し、通信装置２はその旨を、警察・消防・救急の公的機関や、予め登録している家人や親戚・友人等の電話、サービスセンター等へ通報することが可能である。そして、当該通報により発生事態の解消を早期に行うことが可能である。
【００４５】
また、通信装置２は、例えば「セキュリティセンサ群」へ各種警戒動作の設定／解除を行ったり、「家電機器群」の電源のＯＮ／ＯＦＦ等の制御、「流量計測装置群」に対する流量のＯＮ／ＯＦＦ等の制御を行う役目も果たす。ここで、「セキュリティセンサ群」の場合においては、ＡＣ電源の供給が難しいため、「セキュリティセンサ群」は一般的に電池により動作を行う。また、「計測装置群」がガスメーターや水道メーターの場合、ガスメーターや水道メーターは各家庭の庭や裏側等に設置されており、通常電池で動作を行う。
【００４６】
一方、「家電機器群」の場合においてはＡＣ電源の供給により動作を行う。このように、通信装置２と少なくとも１台以上の「セキュリティセンサ群」、「家電機器群」、「流量計測装置群」、「健康機器群」といった端末装置１によりシステムが構成される。
【００４７】
ここで、通信装置２が外部と通信を行う場合においては、回線を利用する。ここでいう回線とは、アナログ電話回線、ＩＳＤＮ回線、ＡＤＳＬ回線、ＦＴＴＨ回線、ケーブルテレビ回線等である。この回線は、当該家庭が導入している上記各種回線種別を利用することとする。なお、上記回線に応じて、通信装置２は上記回線との接続のためにモデム、Ｔ−ＮＣＵ（Ｔｅｒｍｉｎａｌ  Ｎｅｔｗｏｒｋ  Ｃｏｎｔｒｏｌ  Ｕｎｉｔ）、ＴＡ、ダイヤルアップルーター、ＯＮＵ（Ｏｐｔｉｃａｌ  Ｎｅｔｗｏｒｋ  Ｕｎｉｔ）等のモデムを介するもしくは内蔵している。
【００４８】
一方、通信装置２と外部のサーバ装置、携帯電話、パソコン、医療機関、サービスセンター等間は、直接回線交換方式にて接続されている場合もあれば、ＩＳＰ（Ｉｎｔｅｒｎｅｔ  Ｓｅｒｖｉｃｅ  Ｐｒｏｖｉｄｅｒ）やＡＳＰ（Ａｐｐｌｉｃａｔｉｏｎ  Ｓｅｒｖｉｃｅ  Ｐｒｏｖｉｄｅｒ）経由でインターネット網を使い接続されている場合もある。さらに、通信装置２と外部のサーバ装置、携帯電話、パソコン、医療機関、サービスセンター等間の通信プロトコルは、本システムにて予め決められた無手順独自プロトコルの場合もあれば、ＴＣＰ／ＩＰ、ＨＴＴＰ、ＨＴＴＰＳ等のインターネットプロトコルを利用する場合もある。
【００４９】
次に、通信装置２と「セキュリティセンサ群」、「家電機器群」、「計測装置群」、「健康機器群」といった端末装置１の間の通信について説明する。ここで、通信装置２と「セキュリティセンサ群」、「家電機器群」、「計測装置群」、「健康機器群」といった端末装置１との間の通信は、例えば４００ＭＨｚ帯の特定小電力無線を用いて行われる。すなわち、開閉センサ３や人感センサ４が侵入異常を検知した場合、「セキュリティセンサ群」はその旨を特定小電力無線を用いて通信装置２へ伝送する。ガスメーターや水道メーターから検針値を報知する場合や異常時にガスメーターや水道メーターの弁を遮断しその旨を通報する場合も、「計測装置群」はその旨を特定小電力無線を用いて通信装置２へ伝送する。「健康機器群」の場合も同様である。
【００５０】
また、通信装置２から、「セキュリティセンサ群」に対して警戒動作へ移行する旨の信号を送信する場合や、ガスメーターや水道メーターの「計測装置群」に対して弁を遠隔で遮断／復帰する場合、「家電機器群」に動作のＯＮ／ＯＦＦの指令を送信する場合にも特定小電力無線を用いる。
【００５１】
なお、通信装置２と「セキュリティセンサ群」、「家電機器群」、「計測装置群」、「健康機器群」といった端末装置１の間の通信は、特定小電力無線に限らず、電灯線、赤外線、無線ＬＡＮ、ｂｌｕｅｔｏｏｔｈ（Ｒ）と言ったような通信媒体を利用してもよい。
【００５２】
以上のシステム構成において、本実施の形態では、開閉センサ３、人感センサ４、コールリモコン５といった「セキュリティセンサ群」が通信装置２と通信を行う場合について図２を用いて説明する。図２において、６は通報受信手段、７は通報解析手段、８は吹鳴開始設定手段、９は吹鳴開始送信手段である。通報受信手段６、通報解析手段７、吹鳴開始設定手段８、吹鳴開始送信手段９は通信装置２の内部にある。
【００５３】
ここで、開閉センサ３、人感センサ４、コールリモコン５から侵入検知通報や緊急呼出通報が発生した場合、通信装置２は内部の通報受信手段６でその旨を受信する。通報受信手段６が受信した通報は通報解析手段７に送られる。通報解析手段７は受信した通報内容を解析し、その通報が、例えば開閉センサ３や人感センサ４からの不審者の侵入を検知した通報なのか、コールリモコン５からの緊急呼び出し通報なのかを解析する。
【００５４】
一方、「セキュリティセンサ群」で構成される端末装置１と通信装置２から構成される本システム例では、通信装置２は開閉センサ３や人感センサ４からの不審者の侵入を検知した通報を受信した場合や、コールリモコン５からの緊急呼び出し通報を受信した場合に、当該家庭に設置されている開閉センサ３、人感センサ４の全てもしくは一部に対して警報音を吹鳴する旨の信号を送信するか否かを選択できる。
【００５５】
これは、例えば不審者が侵入した場合に、当該家庭にいる他の家族にもいち早くその旨を知らせ事態に対応できるようにする為や、体調の異変が発生した利用者がコールリモコン５を押下することにより助けを求めた場合、当該家庭にいる他の家族にもいち早くその旨を知らせ事態に対応できるようにする為である。
【００５６】
この機能を、本実施の形態では「家じゅうコール機能」と呼ぶ。但し、利用家庭によっては、「家じゅうコール機能」が日常の使用上邪魔になる場合も考えられる為、「家じゅうコール機能」を利用するか否かを選択できるようにしている。これらの選択は吹鳴開始設定手段８にて行う。
【００５７】
ここで、利用者は通信装置２の吹鳴開始設定手段８にて通信装置２へ上がってきた通報内容毎に吹鳴開始設定手段８での「家じゅうコール機能」の選択が可能なように設計されている。
【００５８】
例えば、通報装置２へ上がってきた通報が開閉センサ３や人感センサ４からの不審者の侵入を検知した旨であった場合は「家じゅうコール機能」を利用したいが、コールリモコン５からの緊急呼び出し通報の場合には「家じゅうコール機能」を利用したくない場合もある為、吹鳴開始設定手段８はそれぞれ「家じゅうコール機能」の設定可否を設定できるようになっている。
【００５９】
これは、泥棒のような不審者が侵入した場合には、各人の身の危険が発生する可能性もある為、「家じゅうコール機能」を利用して、宅内にいる全員に異常が発生した旨を知らせたい場合がある。また、「家じゅうコール機能」を利用すれば、上記のように設置されている全ての開閉センサ３や人感センサ４から吹鳴音を鳴らすことができる為、家の周辺（例えば近所）等に吹鳴音が聞こえる可能性もあり、助けを呼ぶ代替に利用することも可能である。
【００６０】
逆に、コールリモコン５からの緊急呼び出し通報は、例えば、家人のお年寄りが、ちょっと体調不良を訴えた場合や、単に家人を呼び出したい場合にのみ利用する場合も考えられ、その場合、「家じゅうコール機能」を利用することで近所に警報音が聞こえると、プライバシーの観点から困る場合も考えられ、「家じゅうコール機能」を使用したくないというニーズもある。このように、通信装置２が検知した通報の種別毎に「家じゅうコール機能」を利用するか否かを吹鳴開始設定手段８で設定できるようにしている。
【００６１】
その実現方法としては、例えば、吹鳴開始設定手段８は、画面表示手段（図示せず）を有し、図３に示すような画面を表示する。この図３の画面は、開閉センサ３や人感センサ４からの不審者の侵入を検知した場合と、コールリモコン５からの緊急呼び出し通報の場合とでそれぞれ別々に準備されており、利用者は別々に「家じゅうコール機能」を使用するか否かを、例えば画面のタッチパネルを操作することで設定することができる。
【００６２】
こうして、通報解析手段７は受信した通報内容を解析し、その通報が、例えば開閉センサ３や人感センサ４からの不審者の侵入を検知した通報なのか、コールリモコン５からの緊急呼び出し通報なのかを解析する。
【００６３】
解析した結果が例えば、通報内容が開閉センサ３や人感センサ４からの不審者の侵入を検知した通報であった場合は、吹鳴開始設定手段８にて開閉センサ３や人感センサ４からの不審者の侵入を検知した通報の際に「家じゅうコール機能」を使用するか否かを確認し、「家じゅうコール機能」を使用する場合には、吹鳴開始送信手段９を起動して、通信装置２と通信を行う端末装置１の全てまたは一部に対して警報音を吹鳴する旨の信号を送信し、逆に、「家じゅうコール機能」を使用しない場合には、吹鳴開始送信手段９を起動しない。
【００６４】
また、通報内容がコールリモコン５からの緊急呼び出し通報の場合、吹鳴開始設定手段８にてコールリモコン５からの緊急呼び出し通報の際に「家じゅうコール機能」を使用するか否かを確認し、「家じゅうコール機能」を使用する場合には、吹鳴開始送信手段９を起動して、通信装置２と通信を行う端末装置１の全てまたは一部に対して警報音を吹鳴する旨の信号を送信し、逆に、「家じゅうコール機能」を使用しない場合には、吹鳴開始送信手段９を起動しない。
【００６５】
以上より、通信装置２の利用者は、通報内容に応じて、通信装置２と通信を行う端末装置１の全てもしくは一部より警報音を吹鳴させる／吹鳴させないの設定ができるようになり、利用者の利便性が向上する。これは、利用者のニーズに合わせたきめ細かな設定ができることで、細部にいたるサービスが実現でき、本通信装置２を利用したシステムの普及・拡大を実現することができる。
【００６６】
（実施の形態２）
本発明の実施の形態２について図４のブロック図を用いて説明する。図４において、図２と機能、名称が同一のものは説明を省略する。図４において、１０は外部信号入力手段、１１は入力解析手段である。外部信号入力手段１０、入力解析手段１１は通信装置２の内部にある。
【００６７】
図４において、通信装置２には、予め「呼び出しボタン」と呼ばれるボタン（図示せず）が、複数個ついている。この「呼び出しボタン」は、通信装置２の利用者が、例えば、体調が悪くなった場合や、家人に急に連絡を取りたくなった場合、不審者が宅内に侵入した場合等に押下するもので、用途別に必要な数だけ通信装置２に付属されている。この「呼び出しボタン」の押下は、通信装置２内部の外部信号入力手段１０により検知される。外部信号入力手段１０が信号を検知した場合、外部信号入力手段１０はその旨を入力解析手段１１へ送る。入力解析手段１１は押下された「呼び出しボタン」の内容を解析し、例えば、体調が悪くなった場合に押下する「呼び出しボタン」が押下されたのか、家人に急に連絡を取りたくなった場合に押下する「呼び出しボタン」が押下されたのか、不審者が宅内に侵入した場合に押下する「呼び出しボタン」が押下されたのかを解析する。そして、押下された「呼び出しボタン」の種別により、通信装置２自体が警報音を発したり、場合によっては、予め登録されている通報先に、電話やメール等で連絡行う。
【００６８】
一方、通信装置２は外部信号入力手段１０が「呼び出しボタン」押下の信号を検知した場合、当該家庭に設置されている開閉センサ３、人感センサ４に対して警報音を吹鳴する旨の信号を送信する機能も有している。これは、例えば、体調の異変が発生した利用者が通信装置２の「呼び出しボタン」を押下した場合、当該家庭にいる他の家族にもいち早くその旨を知らせ、助けを呼ぶ必要があるが、当該家庭の各所には防犯目的で開閉センサ３や人感センサ４が設置されているので、それらの「セキュリティセンサ群」から警報音を鳴らすことで、家族が異変に気づきやすくなるためである。
【００６９】
この機能を、本実施の形態では「家じゅうコール機能」と呼ぶ。但し、利用家庭によっては、「家じゅうコール機能」が日常の使用上邪魔になる場合も考えられる為、「家じゅうコール機能」を利用するか否かを選択できるようにしている。これらの選択は吹鳴開始設定手段８にて行う。
【００７０】
ここで、利用者は吹鳴開始設定手段８にて通信装置２に付属している「呼び出しボタン」の種別毎に、吹鳴開始設定手段８での「家じゅうコール機能」の選択が可能なように設計されている。
【００７１】
例えば、押下された「呼び出しボタン」が、体調が悪くなった場合に押下する「呼び出しボタン」であった場合には「家じゅうコール機能」を利用したいが、不審者が宅内に侵入した場合に押下する「呼び出しボタン」であった場合には、「家じゅうコール機能」を利用したくない場合もある為、吹鳴開始設定手段８はそれぞれ「家じゅうコール機能」の設定可否を設定できるようになっている。その実現方法としては、例えば、吹鳴開始設定手段８は、画面表示手段（図示せず）を有し、実施の形態１の場合と同様に図３に示すような画面を表示する。
【００７２】
こうして、入力解析手段１１は押下された「呼び出しボタン」の内容を解析し、例えば体調が悪くなった場合に押下する「呼び出しボタン」であった場合には、吹鳴開始設定手段８にて体調が悪くなった場合の「呼び出しボタン」押下を検知した際に「家じゅうコール機能」を使用するか否かを確認し、「家じゅうコール機能」を使用する場合には、吹鳴開始送信手段９を起動して、通信装置２と通信を行う端末装置１の全てまたは一部に対して警報音を吹鳴する旨の信号を送信する。
【００７３】
一方、不審者が宅内に侵入した場合に押下する「呼び出しボタン」であった場合には、吹鳴開始設定手段８にて不審者が宅内に侵入した場合の「呼び出しボタン」押下を検知した際に「家じゅうコール機能」を使用するか否かを確認し、「家じゅうコール機能」を使用する場合には、吹鳴開始送信手段９を起動して、通信装置２と通信を行う端末装置１の全てまたは一部に対して警報音を吹鳴する旨の信号を送信し、逆に、「家じゅうコール機能」を使用しない場合には、吹鳴開始送信手段９を起動しない。
【００７４】
以上より、通信装置２の利用者は、遭遇した事象に合わせて押下する「呼び出しボタン」を変更し、その押下した「呼び出しボタン」の種別に応じて通信装置２と通信を行う端末装置１の全てもしくは一部より警報音を吹鳴させる／吹鳴させないの設定ができるようになり、利用者の利便性が向上する。これは、利用者のニーズに合わせたきめ細かな設定ができることで、細部にいたるサービスが実現でき、本通信装置２を利用したシステムの普及・拡大を実現することができる。
【００７５】
（実施の形態３）
本発明の実施の形態３について図５のブロック図を用いて説明する。図５において、図２と機能、名称が同一のものは説明を省略する。図５において、１２は警報停止送信手段である。警報停止送信手段１２は通信装置２の内部にある。
【００７６】
図５において、実施の形態２と同じ動きの部分は説明を省略する。開閉センサ３、人感センサ４、コールリモコン５から侵入検知通報や緊急呼出通報が発生した場合、通信装置２は内部の通報受信手段６でその旨を受信する。通報受信手段６が受信した通報は通報解析手段７に送られる。通報解析手段７は受信した通報内容を解析し、その通報が、例えば開閉センサ３や人感センサ４からの不審者の侵入を検知した通報なのか、コールリモコン５からの緊急呼び出し通報なのかを解析する。
【００７７】
解析した結果、例えば、通報内容が開閉センサ３や人感センサ４からの不審者の侵入を検知した通報であった場合は、吹鳴開始設定手段８にて開閉センサ３や人感センサ４からの不審者の侵入を検知した通報の際に「家じゅうコール機能」を使用するか否かを確認し、「家じゅうコール機能」を使用する場合には、吹鳴開始送信手段９を起動して、通信装置２と通信を行う端末装置１の全てまたは一部に対して警報音を吹鳴する旨の信号を送信する。
【００７８】
一方、通報内容がコールリモコン５からの緊急呼び出し通報の場合、吹鳴開始設定手段８にてコールリモコン５からの緊急呼び出し通報の際に「家じゅうコール機能」を使用するか否かを確認し、「家じゅうコール機能」を使用する場合には、吹鳴開始送信手段９を起動して、通信装置２と通信を行う端末装置１の全てまたは一部に対して警報音を吹鳴する旨の信号を送信する。
【００７９】
その後、発生した事象が解消された場合の動きについて説明する。発生した事象の解消とは、例えば、開閉センサ３、人感センサ４からの侵入検知通報が、実は、家人を検知した場合の誤作動だと判明した場合や、不審者が逃亡し平穏無事に戻った場合、さらには、コールリモコン５からの緊急呼び出し通報が、押下した利用者に適切な処置を行い回復した場合等を指す。このように、発生した事象が解消された場合、開閉センサ３や人感センサ４から発している警報音はもはや必要でなくなると共に、逆に、騒音として認識され邪魔となる。このような場合、利用者は通信装置２に対して、特定の入力（図示せず）を行い発生した事象の解消を実行する。
【００８０】
この場合、その旨の特定入力は通報解析手段７で解析され、開閉センサ３や人感センサ４への警報音停止の旨の信号として警報停止送信手段１２へ送られる。警報停止送信手段１２は、通信装置２と通信を行う端末装置１の全てまたは一部に対して警報音を停止する旨の信号を送信する。その信号を受信した開閉センサ３、人感センサ４は、吹鳴中の警報音を停止する。
【００８１】
なお、警報音停止送信手段１２が警報音を停止する旨の信号を送信する送信先は、無条件に通信装置２と通信を行う端末装置１の全てとしてもよい。これは、もともと警報音を吹鳴していない開閉センサ３、人感センサ４は、警報音停止の旨の信号を受信しても、停止状態に変更がない為、何の問題もない為である。
【００８２】
一方、実際に警報音を吹鳴している開閉センサ３、人感センサ４を通信装置２が把握しており、その警報音を吹鳴している開閉センサ３、人感センサ４に対してのみ警報音を停止する旨の信号を送信する方法を取ってもよい。また、発生した事象に応じて、警報音を停止する旨の信号の送信相手を決めてもよい。
【００８３】
このように、通信装置２の利用者は、通信装置２と通信を行う端末装置１の全てもしくは一部より警報音を停止させる設定ができるようになり、利用者の利便性が向上する。これは、利用者のニーズに合わせたきめ細かな設定ができることで、細部にいたるサービスが実現でき、本通信装置２を利用したシステムの普及・拡大を実現することができる。
【００８４】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００８５】
本発明にかかる通信装置、及びプログラムは、発生事象に応じて「家じゅうコール」機能の実施有無が選択可能になるので、家庭内の「セキュリティセンサ群」、「家電機器群」、「計測装置群」、「健康機器群」等の端末装置と接続される通信装置にも適用できる。
【図面の簡単な説明】
【００８６】
【図１】本発明の通信装置と端末装置で構成されるシステム全体のブロック図
【図２】本発明の実施の形態１における通信装置のブロック図
【図３】本発明の実施の形態１における通信装置の画面例を示す図
【図４】本発明の実施の形態２における通信装置のブロック図
【図５】本発明の実施の形態３における通信装置のブロック図
【符号の説明】
【００８７】
１  通信装置
２  端末装置
３  開閉センサ
４  人感センサ
５  コールリモコン
６  通報受信手段
７  通報解析手段
８  吹鳴開始設定手段
９  吹鳴開始送信手段
１０  外部信号入力手段
１１  入力解析手段
１２  警報停止送信手段
【図１】
2006119876.tif 000003
【図２】
2006119876.tif 000004
【図４】
2006119876.tif 000005
【図５】
2006119876.tif 000006
【図３】
2006119876.tif 000007